(57)【特許請求の範囲】
【請求項１】
複数の捕集リブが中心側から外側に向かって放射状に延び、傘状に形成された上キャッチャー部および下キャッチャー部が、筒形の胴部に、胴部を中心として上下対称に配置されて連結され、上キャッチャー部は上方に突出し、下キャッチャー部は下方に突出するヘアーキャッチャーが、ケレップの中心部から下方に延びるケレップ軸に着脱自在に配設され、取り出し後に上下反転させてケレップ軸に取り付け可能とされ、各捕集リブは、胴部との連結部付近で折れ曲がり、折曲部を有し、折曲部の折曲端が胴部内部に配置され、各捕集リブの胴部との連結部における連結端が、折曲部の折曲端から胴部の内周端縁に向かって斜め外側に向かって延びていることを特徴とする排水栓。
【請求項２】
ケレップ軸の下端部に環状溝部が形成され、略Ｕ字形状のリングが、環状溝部においてケレップ軸に上下方向に回動自在に配設され、環状溝部の下端縁に沿って水平に配置されるリングの湾曲部はケレップ軸の外周面外側に突出し、リングは、ヘアーキャッチャーを係止してケレップ軸上に保持するとともに、上方への回動によりヘアーキャッチャーのケレップ軸への脱着を自在としていることを特徴とする請求項１に記載の排水栓。
【発明の詳細な説明】
【技術分野】
【０００１】
本発明は、洗面化粧台の排水口に装着され、毛髪やごみなどを捕集するヘアーキャッチャーを備えた排水栓に関する。
【背景技術】
【０００２】
洗面化粧台の排水口に装着される排水栓には、排水管や下水管に毛髪やごみなどが流出することに起因する配管の詰まりを抑制し、また、浄水処理の負荷を軽減するなどのために、毛髪やごみなどを捕集するヘアーキャッチャーを備えたものが提供されている。
【０００３】
そして、ケレップの中央部から下方に延びるケレップ軸にヘアーキャッチャーを着脱自在に配設した排水栓が知られている（特許文献１、２）。
【０００４】
上記排水栓では、捕集して溜まったときにはヘアーキャッチャーをケレップ軸から取り外し、毛髪やごみなどを除去し、ヘアーキャッチャーに付着した細かなごみや汚れを歯ブラシなどを用いて磨き、水洗して、掃除することができる。
【特許文献１】特開平９−３１６９５７号公報
【特許文献２】特開２００７−８５１０７号公報
【発明の開示】
【発明が解決しようとする課題】
【０００５】
しかしながら、ヘアーキャッチャーを掃除する際には、ヘアーキャッチャーを手に持って作業しなければならず、表面のぬめりなどに直に触れることになるため、嫌悪感が否めない。手袋を嵌めればヘアーキャッチャーへの直接接触は避けられるが、ヘアーキャッチャーの掃除のたびに手袋を嵌めるのは面倒であり、掃除後に手袋を洗浄する手間もかかる。
【０００６】
したがって、上記排水栓は、手入れ性の面で改善が望まれる。
【０００７】
本発明は、以上の通りの事情に鑑みてなされたものであり、ヘアーキャッチャーの掃除を流水時に自動的に行い、手入れ性の向上した排水栓を提供することを課題としている。
【課題を解決するための手段】
【０００８】
本発明の排水栓は、上記の課題を解決するために、以下のことを特徴としている。
【０００９】
すなわち、第１の発明は、複数の捕集リブが中心側から外側に向かって放射状に延び、傘状に形成された上キャッチャー部および下キャッチャー部が、筒形の胴部に、胴部を中心として上下対称に配置されて連結され、上キャッチャー部は上方に突出し、下キャッチャー部は下方に突出するヘアーキャッチャーが、ケレップの中心部から下方に延びるケレップ軸に着脱自在に配設され、取り出し後に上下反転させてケレップ軸に取り付け可能とされ、各捕集リブは、胴部との連結部付近で折れ曲がり、折曲部を有し、折曲部の折曲端が胴部内部に配置され、各捕集リブの胴部との連結部における連結端が、折曲部の折曲端から胴部の内周端縁に向かって斜め外側に向かって延びていることを特徴としている。
【００１０】
第２の発明は、上記第１の発明において、ケレップ軸の下端部に環状溝部が形成され、略Ｕ字形状のリングが、環状溝部においてケレップ軸に上下方向に回動自在に配設され、環状溝部の下端縁に沿って水平に配置されるリングの湾曲部はケレップ軸の外周面外側に突出し、リングは、ヘアーキャッチャーを係止してケレップ軸上に保持するとともに、上方への回動によりヘアーキャッチャーのケレップ軸への脱着を自在としていることを特徴としている。
【発明の効果】
【００１２】
上記第１の発明によれば、ヘアーキャッチャーは、複数の捕集リブが中心側から外側に向かって放射状に延び、傘状に形成された上キャッチャー部および下キャッチャー部が、筒形の胴部に、胴部を中心として上下対称に配置されて連結され、上キャッチャー部は上方に突出し、下キャッチャー部は下方に突出して形成され、上記ヘアーキャッチャーが、ケレップの中心部から下方に延びるケレップ軸に着脱自在に配設され、取り外し後に上下反転させてケレップ軸に取り付け可能とされているので、ケレップ軸に取り付けられた状態ではヘアーキャッチャーの上キャッチャー部または下キャッチャー部のいずれか一方が胴部から上方に突出し、毛髪やごみなどを効率よく捕集することができる。捕集し、溜まった毛髪やごみなどは、ヘアーキャッチャーをケレップ軸から取り外すことにより除去することができる。除去後には、ヘアーキャッチャーを上下反転させ、細かなごみや汚れが付着している上キャッチャー部または下キャッチャー部を下側に向けてケレップ軸に取り付ける。そして、水を流すことにより、流水によって上キャッチャー部または下キャッチャー部に付着している細かなごみや汚れは洗い落とされる。この流水洗浄は、下側に向けられた上キャッチャー部または下キャッチャー部が下方に突出していることから効果的に行われる。したがって、ヘアーキャッチャーの掃除を自動化することができ、表面のぬめりなどに直に触れずに、また、手袋を嵌めることなく掃除することができるので、排水栓の手入れ性が向上する。
【００１３】
また、上記第１の発明によれば、各捕集リブは、胴部との連結部付近で折れ曲がり、折曲部を有し、折曲部の折曲端が胴部の内側に配置され、各捕集リブの胴部との連結部における連結端が、折曲部の折曲端から胴部の内周端縁に向かって斜め外側に向かって延びているため、各捕集リブの折曲部と胴部の内周端縁との間に付着した細かなごみや汚れがより効率的に洗い落とされ、また、毛髪やごみなどをより効率的に捕集することができる。
【００１４】
上記第２の発明によれば、ケレップ軸の下端部に環状溝部が形成され、略Ｕ字形状のリングが、環状溝部においてケレップ軸に上下方向に回動自在に配設され、環状溝部の下端縁に沿って水平に配置されるリングの湾曲部はケレップ軸の外周面外側に突出し、リングは、ヘアーキャッチャーを係止してケレップ軸上に保持するとともに、上方への回動によりヘアーキャッチャーのケレップ軸への着脱を自在としているので、ヘアーキャッチャーの取り付け状態が安定に保持されるとともに、ヘアーキャッチャーの着脱が容易となる。
【発明を実施するための最良の形態】
【００１５】
図１は、本発明の排水栓の一実施形態を示した斜視図である。
【００１６】
図１に示した排水栓１では、洗面化粧台の排水口の口径に対応する外径を有する略円板状のケレップ２の下側中央部からケレップ軸３が垂下している。ケレップ軸３は、断面円形状の金属棒から形成されている。ケレップ軸３には、ヘアーキャッチャー４が着脱自在に配設され、図１に示した取り付け状態では、ヘアーキャッチャー４は、自重によりケレップ軸３の下端部に配置されている。ヘアーキャッチャー４は、ケレップ軸３に着脱自在とされているので、取り付け状態においても配置位置は固定されず、自重により最下位となる下端部からケレップ２の間までをケレップ軸３に沿って上下に移動可能である。
【００１７】
ヘアーキャッチャー４は、上キャッチャー部５、下キャッチャー部６および胴部７から形成されている。上キャッチャー部５、下キャッチャー部６は、上下に開口している短尺円筒状の胴部７に、胴部７を中心として上下対称に配置されて連結され、上キャッチャー部５および下キャッチャー部６は同一の形状および構造を有している。
【００１８】
上キャッチャー部５および下キャッチャー部６は、複数の片状の捕集リブ８が中心側から外側に向かって放射状に延び、傘状に形成されている。各捕集リブ８は、中心側端において、内径がケレップ軸３の外径より若干大きい環状のリング９に連結され、外側端において胴部７の内周端縁７ａに連結されている。
【００１９】
各捕集リブ８の胴部７との連結部では、図２にも示したように、各捕集リブ８は、胴部７との連結部付近で折れ曲がり、折曲部１０を有し、折曲部１０の折曲端１０ａが胴部７の内側に配置されている。すなわち、上キャッチャー部５では、各捕集リブ８の折曲部１０は、胴部７の径方向内側で上端７ｂより下方に位置し、折曲端１０ａが胴部７の上端７ｂより下方に位置している。下キャッチャー部６では、各捕集リブ８の折曲部１０は、胴部７の径方向内側で下端７ｃより上方に位置し、折曲端１０ａが胴部７の下端７ｃより上方に位置している。このような折曲部１０も上キャッチャー部５および下キャッチャー部６が胴部７に対し上下対称に配置されていることから、胴部７の高さ方向の中心線に対して上下対称に配置されている。また、各捕集リブ８では、胴部７との連結部における連結端８ａが、折曲部１０の折曲端１０ａから胴部７の内周端縁７ａに向かって斜め外側に向かって延びている。
【００２０】
このような上キャッチャー部５、下キャッチャー部６および胴部７から形成されるヘアーキャッチャー４は、中空の部材であり、通水可能であり、図１に示したように、ケレップ軸３に取り付けられ、排水栓１が洗面化粧台の排水口に装着されたとき、排水に支障はなく、しかも、図１に示した取り付け状態では、上キャッチャー部５において排水口から排水とともに流れ落ちる毛髪やごみなどを捕集リブ８によって捕集することができる。ヘアーキャッチャー４は、リング９を含め樹脂の一体成形品として容易に製造することができる。ケレップ軸３への着脱は、上下端に位置するリング９を通じて行うことができる。ケレップ軸３への着脱が自在とされているため、ヘアーキャッチャー４は、取り外し後に上下反転させてケレップ軸３に取り付け可能であり、再装着した際には、上キャッチャー部５と下キャッチャー部６とが上下に反転して配置されるだけであり、ヘアーキャッチャー４の全体は、形状および構造において取り外し前と全く変わらなく、同様に機能する。
【００２１】
上記排水栓１は次のように使用される。
【００２２】
まず、図１に示したように、上キャッチャー部５を上側に向け、下キャッチャー部６を下側に向けてヘアーキャッチャー４をリング９を通じてケレップ軸３に取り付け、図３＜ａ＞に示したように、洗面化粧台１１の洗面ボウル１２に形成された排水口１３から排水管１４に向けてヘアーキャッチャー４を挿入し、排水栓１を排水口１３に装着する。この状態において洗面化粧台１１を使用すると、排水とともに流れ落ちる毛髪やごみ１５などが上キャッチャー部５の捕集リブ８によって捕集される。上キャッチャー部５は胴部７から上方に突出しているので、毛髪やごみ１５などを効率よく捕集することができる。
【００２３】
捕集した毛髪やごみ１５などはやがて上キャッチャー部５に溜まるが、その場合、図３＜ｂ＞に示したように、排水栓１を排水口１３から取り外し、ヘアーキャッチャー４をケレップ軸３から取り外す。そして、捕集して溜まった毛髪やごみ１５などの大まかなものを上キャッチャー部５から除去する。上キャッチャー部５の捕集リブ８には細かなごみや汚れが付着しているが、歯ブラシなどを用いたヘアーキャッチャー４の掃除は行わない。
【００２４】
毛髪やごみ１５などの大まかなものを上キャッチャー部５から除去した後は、図３＜ｃ＞に示したように、そのままの状態でヘアーキャッチャー４を上下反転させ、下キャッチャー部６を上側に向け、上キャッチャー部５を下側に向け、ケレップ軸３に取り付け、排水栓１を排水口１３に装着する。洗面化粧台１１を使用する際などに水を流すことにより、流水によって上キャッチャー部５に付着している細かなごみや汚れは洗い落とされる。この流水洗浄は、上キャッチャー部５が下方に突出していることから効果的に行われる。したがって、ヘアーキャッチャー４の掃除は自動化され、歯ブラシなどを用いて磨く必要はなく、表面のぬめりなどに直に触れずに、また、手袋を嵌めることなく掃除することができ、排水栓１の手入れ性はきわめて良好である。
【００２５】
流水による自動洗浄の際に、上キャッチャー部５の捕集リブ８に付着している細かなごみや汚れなどは、排水管１４、さらに下水管に流れるが、これまでも排水栓の掃除は排水口を開放した状態にして行っており、ヘアーキャッチャーに付着している細かなごみや汚れなどは排水管や下水管に洗い流されている。したがって、排水栓１において上キャッチャー部５の捕集リブ８に付着している細かなごみや汚れなどを流水により自動洗浄しても、排水管１４および下水管の詰まりや浄水処理の負担が増大することはない。
【００２６】
下キャッチャー部６でも同様に捕集リブ８により毛髪やごみ１５などの捕集が行われ、溜まったときには同様に操作し、毛髪やごみ１５などの除去および下キャッチャー部６の自動洗浄を行うことができる。
【００２７】
排水栓１は、ヘアーキャッチャー４の掃除を流水時に自動的に行うことができ、手入れ性が向上している。
【００２８】
また、排水栓１では、上記の通り、各捕集リブ８は、胴部７との連結部付近で折れ曲がり、折曲部１０を有し、折曲部１０の折曲端１０ａが胴部７の内側に配置され、胴部７との連結部における連結端８ａが、折曲部１０の折曲端１０ａから胴部７の内周端縁７ａに向かって斜め外側に向かって延びているため、各捕集リブ８の折曲部１０と胴部７の内周端縁７ａとの間に付着した細かなごみや汚れをより効率的に洗い落とすことができ、また、毛髪やごみ１５などをより効率的に捕集することができる。
【００２９】
図１および図３に示した排水栓１には、ケレップ軸３へのヘアーキャッチャー４の着脱を自在とするために、ケレップ軸３の下端部にリング１６が配設されている。図４＜ａ＞＜ｂ＞は、それぞれ、ケレップ軸３の下端部を拡大して示した側面図、Ａ−Ａ断面図である。
【００３０】
ケレップ軸３の下端部には、ケレップ軸３の径方向にくぼむ環状溝部１７が形成され、略Ｕ字形状のリング１６が、環状溝部１７においてケレップ軸３に上下方向に回動自在に配設されている。環状溝部１７が形成された部分においてケレップ軸３には径方向に貫通する孔１８が形成されており、リング１６の内側に折れ曲がる両端部１６ａが孔１８に回動自在に嵌入され、リング１６の上下方向の回動が可能とされている。
【００３１】
リング１６は、環状溝部１７の下端縁１７ａに沿って水平に配置可能であり、水平配置状態において湾曲部１６ｂはケレップ軸３の外周面外側に突出する。リング１６の湾曲部１６ｂがケレップ軸３の外周面外側に突出することにより、図１に示したように、ヘアーキャッチャー４がリング９において湾曲部１６ｂに係止され、ヘアーキャッチャー４はケレップ軸３上に取り付け状態に安定に保持される。ヘアーキャッチャー４をケレップ軸３から取り外す際には、ヘアーキャッチャー４を少し上方に持ち上げ、リング１６を、図４＜ａ＞に示したように、両端部１６ａを中心として上方に回動させ、環状溝部１７に収納させる。この状態において下方にスライドさせることによりヘアーキャッチャー４はケレップ軸３から取り外すことができる。取り付けの際には、ヘアーキャッチャー４を、リング９にケレップ軸３を通し、上方へスライドさせることにより、ヘアーキャッチャー４のスライドにともなわれてリング１６は上方に回動し、環状溝部１７に収納され、ヘアーキャッチャー４はケレップ軸３に取り付けられ、排水栓１を垂下させると、リング１６が自重により下方に回動し、リング９を係止し、取り付け状態に保持する。
【００３２】
このように、上記リング１６および環状溝部１７によって、ヘアーキャッチャー４のケレップ軸３への着脱が容易となり、ヘアーキャッチャー４の取り付け状態が安定に保持される。
【００３３】
なお、本発明の排水栓では、ヘアーキャッチャーをケレップ軸に着脱自在とする構成は、上記リング１６および環状溝部１７に限定されることはなく、排水栓に容易に組み込むことができ、コストを抑え、また、操作容易であれば、適宜なものを採用することができる。
【図面の簡単な説明】
【００３４】
【図１】本発明の排水栓の一実施形態を示した斜視図である。
【図２】図１に示した排水栓のヘアーキャッチャーにおける捕集リブと胴部との連結部を拡大して示した断面図である。
【図３】＜ａ＞＜ｂ＞＜ｃ＞は、それぞれ、図１に示した排水栓の使用例を示した工程斜視図である。
【図４】＜ａ＞＜ｂ＞は、それぞれ、図１に示した排水栓のケレップ軸の下端部を拡大して示した側面図、Ａ−Ａ断面図である。
【符号の説明】
【００３５】
１  排水栓
２  ケレップ
３  ケレップ軸
４  ヘアーキャッチャー
５  上キャッチャー部
６  下キャッチャー部
７  胴部
８  捕集リブ
８ａ  連結端
１０  折曲部
１０ａ  折曲端
１６  リング
１６ｂ  湾曲部
１７  環状溝部
１７ａ  下端縁
【図１】
0004888246.tif 000002
【図２】
0004888246.tif 000003
【図３】
0004888246.tif 000004
【図４】
0004888246.tif 000005